(57)【特許請求の範囲】
【請求項１】
内部に空気を充填することで弾力を保持する弾性遊具と、当該弾性遊具が配置される基
体装置とを備えた遊具装置を複数備えた遊具システムであって、
前記弾性遊具が、弾性シートで形成され、内部に空気が気密に充填可能な複数の弾性ユニット同士が連結して構成された遊具であって、
前記弾性ユニットに形成された、空気流路が連通可能な連通孔を介して、前記各弾性ユニット同士を連結し、
前記基体装置が、中心軸を揃えて下部回転体と、上部回転体を積層して構成され、
前記下部回転体が、
下部基板と、
前記下部基板の上面中央に配置された前記上部回転体を回転駆動可能な駆動モータと
、
前記駆動モータにより回転される回転軸に軸支されたクランクと、
前記中心軸周りに前記上部回転体が回転可能な位置に設けられ、前記上部回転体を支
持するキャスタとを備え、
前記基体装置とともに、前記弾性遊具が偏心して回転し、
前記遊具装置に設けた、前記弾性ユニットに空気を送入するための弁体と、
前記弾性遊具に、ユーザを撮影可能なカメラと、映像を映写可能なモニタとを備え、
一の遊具装置で撮影した映像を他の遊具装置に送信し、当該映像を当該他の遊具装置に備えたモニタに映写可能な遊具システム。
【請求項２】
前記弾性遊具が、傾斜した状態で前記基体装置に配置される、請求項１に記載の遊具システム。
【請求項３】
前記遊具装置に電力を供給するスリップリングを更に備える、請求項１または２に記載の遊具システム。
【請求項４】
前記駆動モータの回転軸に装着されて、回転軸の駆動トルクが予め定められた値以内に
なるように制御するトルクリミッタを更に備える、請求項１から３いずれか一項に記載の
遊具システム。
【請求項５】
前記弾性ユニットの弾力を柔らかくした座部用弾性ユニットを更に設けた請求項１から
４いずれか一項に記載の遊具システム。
【発明の詳細な説明】
【技術分野】
【０００１】
本発明は、遊具装置及び、遊具システムに関し、特に充填した空気が長時間漏れることの少ない遊具装置及び、遊具システムに関する。
【背景技術】
【０００２】
柔らかい部材を所定の箇所に設けた遊具装置は、子供達の人気があり、遊具装置としての需要が高い。遊具装置の製造業者は、上記柔らかい部材をスポンジやウレタン等の弾性部材を加工して形成することや、弾性シートを袋状に形成し、当該袋内に空気を充填することで形成することが多い。例えば、下記特許文献１には、所定の形状の弾性部材を設置する場合に、弾性シートをミシン等で所定形状に縫い、その開口端から、ブロア等で空気を送入して、弾性部材を弾力性のある状態にする技術が開示されている。
【先行技術文献】
【特許文献】
【０００３】
【特許文献１】特開２００５−１３１０６３号公報
【発明の概要】
【発明が解決しようとする課題】
【０００４】
上記特許文献に開示の技術のように、弾性シートをミシン等で縫いつけ、開口部から空気を注入する手法は本発明の技術分野ではよく用いられている。単純な袋状の弾性シートであると、複雑な形状の遊具に対応できず、大量生産をする必要がある遊具装置に適用する際には、ウレタンや、スポンジを所定の形状に加工するよりも効率的だからである。しかし、上記のように、ミシン等により縫製加工を行うと、当該ミシン目より多少の空気が漏れることになる。したがって、上記縫製加工による遊具装置の場合、時間の経過とともに、空気が排出されるので、部材に一定の弾力性を保つためには、ブロア等で空気を常時送入し続けなければならない。
【０００５】
すなわち、ブロア等の空気送入手段を常に設置する必要があることから、上記空気送入手段の設置場所を確保することが上記の遊具装置の課題であった。上記空気送入手段を遊具装置内に設置し、外部から視認できないようにすることも可能であるが、遊具装置内に空気送入手段を配置する場所を確保する必要があることから、上記空気送入手段が不要な遊具装置が要請されていた。本発明の目的は、ある程度複雑な形状の遊具装置であっても、ブロア等の空気送入手段を常時設置することなく、加工が可能な遊具装置を提供することにある。
【課題を解決するための手段】
【０００６】
上記課題を達成するための本発明は、内部に空気を充填することで弾力を保持する弾性遊具と、当該弾性遊具が配置される基体装置とを備えた遊具装置を前提とする。そして、本発明の遊具装置の弾性遊具は、弾性シートで形成され、内部に空気が気密に充填可能な複数の弾性ユニット同士が連結して構成された遊具であり、空気流路が連通可能な連通孔が弾性ユニットに形成される。そして、当該連通孔を介して各弾性ユニット同士が連結される。更に、弾性ユニットに空気を送入するための弁体を設けたことを特徴とする。
【０００７】
上記の構成であれば、内部に空気を気密に充填可能な弾性ユニットが複数連結した弾性遊具を基体に配置することで遊具装置を構成する。従って、上記弾性ユニットの連結により、複雑な形状の遊具を構成できるので、ブロア等の空気送入手段を常に動作させる必要がない。すなわち、弾性ユニットに空気を送入するためにブロア等の空気送入手段を必要とするが、空気漏れのために常にブロアを動作させる必要がない。
【０００８】
上記の構成において、基体装置が、中心軸を揃えて下部回転体と、上部回転体が積層した構成（回転基体）を採用することができる。下部回転体は、下部基板と、駆動モータとを備える。駆動モータは、下部基板の上面中央に配置され、上部回転体を回転駆動可能なモータである。そして、上部回転体が中心軸周りに回転可能な位置に、上部回転体を支持するキャスタが設けられる。当該キャスタは下部回転体上の所定円周上に設けられることが望ましい。
【０００９】
更に以下のように中心軸から偏心して回転する基体装置（回転基体）を構成できる。すなわち、基体装置が、中心軸を揃えて下部回転体と、上部回転体が積層した構成を採用することができる。下部回転体は、下部基板と、駆動モータとを備える。駆動モータは、下部基板の上面中央に配置され、上部回転体を回転駆動可能なモータである。そして、駆動モータにより回転される回転軸にクランクが軸支され、上部回転体が中心軸周りに回転可能な位置に、上部回転体を支持するキャスタが設けられる。すなわち、回転基体とともに、弾性遊具が偏心して回転することになる。キャスタは、下部回転体上の所定円周上に設けられることが望ましい。
【００１０】
上記の構成において、弾性遊具が、傾斜した状態で前記基体装置に配置される構成を採用することができる。回転基体に傾斜した状態で弾性遊具が配置されることで、簡単な構成により、複雑な回転を生じさせることが可能となる。
【００１１】
上記の構成において、遊具装置に電力を供給するスリップリングを備えることで、遊具装置が回転しているとしても、遊具装置に備えたＬＥＤ等の電気装飾部材に電力を供給することが可能となる。更に、駆動モータの回転軸に装着されて、回転軸の駆動トルクが予め定められた値以内になるように制御するトルクリミッタを備えてもよい。なお、上記弾性遊具が、ヨットを模した遊具とすることも可能である。弾性ユニットの弾力を柔らかくした座部用弾性ユニットを設けてもよい。
【００１２】
基体装置に配置される弾性遊具は、限定されない。例えば、登り棒及び、回転遊具や、鉄棒、滑り台、ぶらんこ、ジャングルジム、うんてい、シーソー、ジャングルジムのような遊具及び、当該遊具の組み合わせを上記弾性ユニットの連結により構成しても構わない。
【００１３】
上記構成の遊具装置を複数備えた遊具システムを構成することもできる。当該遊具システムの各遊具装置は、ユーザを撮影可能なカメラと、映像を映写可能なモニタとを弾性遊具に備える。そして、一の遊具装置で撮影した映像を他の遊具装置に送信し、当該他の遊具装置に備えたモニタに映写可能なことを特徴とする。
【発明の効果】
【００１４】
本発明は、内部に空気を充填することで弾力を保持する弾性遊具と、当該弾性遊具が配置される基体装置とを備えた遊具装置を前提とする。そして、本発明の遊具装置の弾性遊具は、弾性シートで形成され、内部に空気が気密に充填可能な複数の弾性ユニット同士が連結して構成された遊具であり、空気流路が連通可能な連通孔が弾性ユニットに形成される。そして、当該連通孔を介して各弾性ユニット同士が連結される。更に、弾性ユニットに空気を送入するための弁体を設けたことを特徴とする。
【００１５】
上記の構成であれば、内部に空気を気密に充填可能な弾性ユニットが複数連結した弾性遊具を基体に配置することで遊具装置を構成する。従って、上記弾性ユニットの連結により、複雑な形状の遊具を構成できるので、ブロア等の空気送入手段を常に動作させる必要がない。
【図面の簡単な説明】
【００１６】
【図１】本発明の実施形態に係る遊具装置の全体構成を示す概念図である。
【図２】本発明の実施形態に係る遊具装置を上方から見たときの全体構成を示す概念図である。
【図３】本発明の実施形態に係る遊具装置の全体構成を示す概念図である。
【図４】本発明の実施形態に係る遊具装置の全体構成を示す概念図である。
【図５】本発明の実施形態に係る遊具装置の全体構成を示す概念図である。
【図６】本発明の実施形態に係る遊具装置を複数備えた遊具システムの全体構成を示す概念図である。
【図７】本発明の実施形態に係る遊具装置が備える回転基体の全体構成を示す概念図である。
【図８】本発明の実施形態に係る遊具装置が備える基体装置（回転基体）の全体構成を示す概念図である。
【図９】本発明の実施形態に係る遊具装置の全体構成を示す概念図である。
【図１０】本発明の実施形態に係る遊具装置の全体構成を示す概念図である。
【発明を実施するための形態】
【００１７】
（実施の形態１）
以下に、本発明の遊具装置１００について図面を参照して説明する。図１は、本発明の遊具装置１００の全体構成を示す概略模式図であり、図２は本発明の遊具装置を上方から見たときの概略模式図であり、図３は、側面から見た図である。図４、図５は、本発明の別の実施例に係る遊具装置１００の全体構成を示す概略模式図である。ただし、本発明に直接には関係しない各部の詳細は省略している。なお、図３及び図５に記載した回転基体２００（基体装置に相当する）についての説明は後述する。
【００１８】
すなわち、図１に示すように、本発明の遊具装置１００は、弾性シート等で弾性ユニット１１０を複数形成し、当該複数の弾性ユニット１１０同士を連結することで組み立てられる。まず、以下のようにして、当該弾性ユニット１１０を形成する。例えば、所定の弾性シートを溶着して筒状に形成し、上下の開放端を円形の弾性シートで溶着することで弾性ユニット１１０が形成される。なお、内部に空気が気密に充填可能な構成であれば、弾性ユニット１１０の製造方法は任意である。
【００１９】
そして、上記弾性ユニット１１０を連結する場合、連結しようとする各弾性ユニット１１０の所定の箇所に孔（本発明の連通孔１１４に相当する）を開ける。形成した連通孔１１４同士を接触させるようにして（空気流路が連通すればよく必ずしも連通孔１１４同士を接触させる必要はない。）上記両弾性ユニット１１０を連結する。すなわち、上記連通孔１１４を介して、弾性ユニット１１０内に空気流路（例えば図２に示す矢印に相当する）が連通されることになる。したがって、外部から一の弾性ユニット１１０に空気が送入されると、空気流路が連通された複数の弾性ユニット１１０に空気を充填させることが可能となる。上記弾性ユニット１１０の連結部材（図示しない）として、接着テープを用いてもよいし、複数の弾性ユニット１１０同士を溶着させる構成を採用しても構わない。複数の弾性ユニット１１０を連結することで複雑な形状の遊具部材１２０（本発明の弾性遊具に相当する）を上記弾性ユニット１１０の集合体として構成することが可能となる。
【００２０】
さらに、上記複数の弾性ユニット１１０の内、いずれかの弾性ユニット１１０に、外部から空気を送入するための空気送入口が設けられる。例えば、選択された一の弾性ユニット１１０の所定箇所に孔を形成し、当該孔に、空気送入口として弁体１１２を取り付ける。上記弁体１１２は、所定の方法で上記空気送入口を開閉可能であればその形状材質は問わない。本発明では、所定の金型を用いてプラスチック等で一体成型した弁体１１２を使用した。
【００２１】
上記のように構成した遊具部材１２０を複数形成し、当該複数の遊具部材１２０の集合体として複雑な形状の遊具部材１２０（本発明の弾性遊具に相当する）を構成することも可能である。例えば、上記遊具部材１２０間には空気流路が連通しないように連結または独立させることで、一の遊具部材１２０に設けた弁体１１２から空気を送入すると独立した他の遊具部材１２０には空気が充填しないように構成することができる。上記のように構成することで、例えば一の遊具部材１２０が破損等して、空気の漏れが生じたとしても、破損した遊具部材１２０のみを交換又は修理すればよく、遊具装置１００に備えた全ての遊具部材１２０を交換又は修理する必要がない。
【００２２】
次に、上記遊具部材１２０を適用した遊具装置１００の例を説明する。後述の回転基体２００（本発明の基体装置に相当する）上に基板（図示しない）を配置する。本実施例では、ヨットを模した形状の遊具装置１００を構成するため回転基体２００に配置される基板をヨットの甲板形状を模した形状に加工する。本実施例では、矩形板の先端をテーパー状に加工し甲板形状の基板を構成した。
【００２３】
上記のように、基板を回転基体２００上に配置すると、当該基板上に、上記弾性ユニット１１０で構成された遊具部材１２０を配置する。本実施例では、上記基板の外周に沿って円柱形状に形成した弾性ユニット１１０を並べ、各弾性ユニット１１０を空気流路が連通するように連結した。そして、いずれか一の弾性ユニット１１０に空気送入口（弁体１１２）を設けて遊具部材１２０を構成した。
【００２４】
上記のように、基板の外周に沿って設けた遊具部材１２０の側面側弾性ユニット１１０間に、座部用弾性ユニット１１０を配置する構成を採用してもよい。更に、当該座部用弾性ユニット１１０に充填される空気の量を調整することで、基板の外周に配置される弾性ユニット１１０と比較して柔らかくなるように構成することが望ましい。座部として使用する部材（座部用弾性ユニット１１０）を基板外周に配置される部材（弾性ユニット１１０）より柔らかく構成することで、当該座部用弾性ユニット１１０に座ったユーザが安定して遊戯をすることが可能となる。上記ヨットを模した遊具装置１００に実際のヨットと同じようにポール１４０や帆１４２を配置することで実際のヨットをさらに模した遊具装置１００を提供することが可能となる。
【００２５】
次に図４及び図５を用いて、上記弾性ユニット１１０を備えた別の実施例に係る遊具装置１００を説明する。本実施例の遊具装置１００は、基体装置（後述の回転基体２００）と、制御部格納装置１６０と、カメラ１６７及びモニタ１６６とを備える。制御部格納装置１６０、カメラ１６７及びモニタ１６６は、上記弾性ユニット１１０で構成した遊具部材１２０で被覆される構成を採用してもよい。
【００２６】
上記モニタ１６６上方に、装飾体１５０を配置してもよい。例えば、図３に示す本発明の遊具装置１００には、その上方に、いわゆるＵＦＯ型の装飾体１５０を配置した。上記制御部格納装置１６０上方に装飾体１５０としてリングを配置し、全体としてＵＦＯ型の装飾体を構成する。上記リングは弾性ユニット１１０を連結させることで形成してもよいし、リング形状の弾性ユニット１１０を形成しても構わない。更に、上記リングを配置するために支持体１５５を形成する。
【００２７】
支持体１５５は、金属製の円柱を屈曲させて形成し、回転基体２００上に立設させて構成することができる。そして、支持体１５５が上記装飾体１５０を支持する構成を採用することになる。上記の場合支持体１５５は、ウレタン等の弾性体で被覆されることになる。若しくは、弾性ユニット１１０で形成した円柱を屈曲させた状態で連結することで、支持体１５５を形成し、当該支持体１５５の一方端を上記回転基体２００上面に立設する構成を採用してもよい。上記支持体１５５の他端は、リング（装飾体１５０に相当する）と結合させて、支持体１５５がリングを支持するように形成する。
【００２８】
更に、上記リング中央にボール（図示しない）を配置する構成を採用することもできる。当該ボールは上記弾性ユニット１１０と同じように、弾性シートで形成することが望ましい。ウレタン等の弾性体で上記ボールを構成しても構わない。更に、上記ボール内が照明装飾体（例えばＬＥＤ）により装飾される構成を採用しても構わない。
【００２９】
更に、本実施の形態の遊具装置１００に備える制御部格納装置１６０、カメラ１６７及びモニタ１６６を図５に示した。上記制御部格納装置１６０に格納される制御部は、モニタ１６６及びカメラ１６７を制御し、モニタ１６６に映るユーザの映像を遠隔地の遊具装置１００に送信することが可能である。上記のように、互いの遊具装置１００に備えたカメラ１６７に撮像された映像が送受信されることで、遠隔地のユーザ同士がコミュニケーション可能となる。したがって、本実施例の遊具装置１００を複数備える遊具システム３００（後述する）として構成することが可能となる。上記制御部格納装置１６０は、上部にモニタ１６６を配置可能であればその形状は任意であり、本実施例では、中空の円筒体を上記制御部格納装置１６０として使用した。
【００３０】
上記のように、回転基体２００に制御部格納装置１６０が配置されると、当該制御部格納装置１６０の上部にモニタ１６６とカメラ１６７が配置される。例えば、本実施例では、映像表示部が外部から視認可能なように、モニタ１６６を被覆し、上記制御部格納装置１６０上部に当該モニタ１６６を配置した。モニタ１６６は、上記弾性ユニット１１０を連結した遊具部材１２０で被覆することができる。若しくは、ウレタン等の弾性体や、強化プラスチック等で被覆されてもよい。ウレタン等の弾性体で被覆する場合、上記モニタ１６６の映像表示部を外部に曝した状態で被覆することになる。弾性ユニット１１０で被覆する際にも、上記モニタ１６６の映像表示部を外部に曝した状態で、モニタ周囲を弾性ユニット１１０又は弾性ユニット１１０で構成した遊具部材１２０で被覆することができる。
【００３１】
更に、図５に示す実施の形態の遊具装置１００は、当該装置１００で遊戯するユーザ（幼児等の年少者を想定している。）を撮影可能なカメラ１６７を備える。例えば、上記制御部格納装置１６０上部に当該カメラ１６７を設けることが可能である。このとき、カメラ１６７の向きを遊具装置１００及び、装置１００近傍で遊具するユーザを撮影可能な方向にした状態で、上記制御部格納装置１６０に設定されることになる。
【００３２】
図６は、本発明の遊具装置１００を用いた遊具システム３００の制御系ハードウェアの概略構成図である。ただし、本発明に直接には関係しない各部の詳細は省略している。本発明の遊具システム３００の制御回路は、ＣＰＵ（Ｃｅｎｔｒａｌ  Ｐｒｏｃｅｓｓｉｎｇ  Ｕｎｉｔ）３０１、ＲＯＭ（Ｒｅａｄ  Ｏｎｌｙ  Ｍｅｍｏｒｙ）３０２、ＲＡＭ（Ｒａｎｄｏｍ  Ａｃｃｅｓｓ  Ｍｅｍｏｒｙ）３０３、ＨＤＤ（Ｈａｒｄ  Ｄｉｓｋ  Ｄｒｉｖｅ）３０４、各駆動部に対応するドライバ３０５を内部バス３０６によって接続している。上記ＣＰＵ３０１は、例えば、ＲＡＭ３０３を作業領域として利用し、上記ＲＯＭ３０２、ＨＤＤ３０４等に記憶されているプログラムを実行し、当該実行結果に基づいて上記ドライバ３０５のデータや指示を授受し、各駆動部等の動作を制御する。そして、上記カメラ１６７の映像を遊具装置１００に送受信するためのサーバ３６０を備え、ネットワーク３５１を介して上記データを送受信する構成となっている。
【００３３】
（回転基体）
次に、本発明の遊具装置１００に備える基体装置としての回転基体２００について、図面を参照して説明する。図７及び図８は、回転基体の概念模式図である。ただし、本発明に直接には関係しない各部の詳細は省略している。上記回転基体２００は、上部回転体２１０と、下部回転体１３０とを備える。上部回転体２１０は、円形状の基板であるが、回転に支障がなければ矩形や多角形形状であっても構わない。
【００３４】
図８（Ａ）に示すように、下部回転体２２０は中央歯車２２７と、当該中央歯車２２７を駆動する駆動モータ２２６と、キャスタ２２４とを備える。まず、下部回転体２２０の下部基板２２１（本発明では円形形状を採用したがその形状は任意である）を上面視したとき、中心となる位置に、中央歯車２２７を配置する。もちろん上記中央歯車２２７の回転軸と上記下部基板２２１の中心軸を一致させるように両者を固定した状態で配置する。そして、上記中央歯車２２７を回転駆動可能な位置に駆動モータ２２６を配置する。中央歯車２２７が駆動モータ２２６によって回転可能なように、中央歯車２２７と駆動モータ２２６の回転軸とに対してローラーチェーンが巻き掛けられ、当該駆動モータ２２６の回転軸が回転すると、上記ローラーチェーンを介して上記中央歯車２２７が回転するように構成してもよい。
【００３５】
更に、上記下部回転体２２０には、上記中央歯車２２７及び駆動モータ２２６と同一面上に、複数のキャスタ２２４が配置される。キャスタ２２４は、当該キャスタ２２４の車輪部分を上にして下部回転体に配置される。上記複数のキャスタ２２４は、対向するキャスタ２２４が、下部回転体２２０の中心に関して対称となる位置に配置され、隣接するキャスタ２２４間が等間隔になるように配置する。
後述のように、上部回転体２１０及び、下部回転体２２０を組み合わせた場合、キャスタ２２４が上部回転体２１０に接触する位置に円環形状のレール（図示しない）を設けてもよい。キャスタ２２４は当該レールに接触しながら回転することで、当該キャスタ２２４の回転に応じて上部回転体２１０が回転することになる。従って、本発明では下部回転体２２０の上記各キャスタ２２４の車輪が上部回転体２１０を支持する構成となる。
【００３６】
次に、上部回転体２１０と下部回転体２２０を組み合わせる。まず、上記キャスタ２２４、中央歯車２２７、駆動モータ２２６が配置された面を上にした状態で、下部回転体２２０を床面に配置する。そして、下部基板２２１、上部回転体２１０の中心が重なるように、上記下部回転体２２０の上に、上部回転体２１０を積層する。このとき、下部回転体２２０の中央歯車２２７が回転すると、上部回転体２１０が回転するように、上記中央歯車２２７を上部回転体２１０に嵌合することで、本発明の遊具装置１００を構成する。なお、メンテナンスのために、上記中央歯車２２７が、上部回転体２１０に取り外し可能に嵌合されることが望ましい。上記上部回転体２１０の形状は、上記弾性ユニット１１０で構成された弾性遊具を取り付けることができる形状であればよく、矩形状、多角形状、円形状等多種の形状の基板を取り付けることができる。
【００３７】
なお、上記駆動モータ２２６は図示しない制御部によって回転数が制御されるように構成されてもよい。制御部には、予め最適な回転数を記憶しており、当該回転数に基づいて上記駆動モータ２２６が回転駆動される構成が採用できる。駆動モータ２２６の作動をさせるためのスイッチ（図示せず）を回転基体２００に設け、当該スイッチにより駆動モータ２２６の回転速度を制御可能となるように構成しても構わない。
【００３８】
（実施の形態２）
実施の形態１に使用した回転基体２００の構成を以下のように構成することにより偏心して回転する遊具装置１００を構成することが可能となる。なお、後述の偏心軸以外については実施の形態説明した遊具装置１００と同じ構成を採用する。従って偏心軸以外の構成については図示及び説明を省力する。
【００３９】
図８（Ｂ）及び、図８（Ｃ）に示すように、駆動モータ２２６の回転軸に後述の偏心軸を用いる。すなわち、図８（Ｂ）に示すように、駆動モータ２２６の回転軸に対して所定距離ずれた軸とを結ぶ柄からなる偏心軸（例えば、クランク２２８）を上記駆動モータ２２６に備えることで、当該駆動モータの回転軸を所定の範囲ずらすように構成することができる。
【００４０】
すなわち、クランク１１２の一方端は駆動モータ２２６の回転軸と同じ軸上で回転し、クランク２２８の他端は、当該回転軸に対して偏心して回転することになる（回転軸がずれた状態で回転することを意味する）。もちろん、駆動モータ２２６の作動をさせるためのスイッチ（図示せず）が回転基体２００に設けられることは言うまでもない。当該スイッチにより駆動モータ２２６の回転速度を制御可能となるように構成しても構わない。もちろん図８（Ｂ）に示す回転基体２００は、上部回転体２１０と、下部回転体２２０とを備える。そして、上部回転体２１０は、円形状の基板であり、下部回転体２２０は、中央歯車２２７と、当該中央歯車２２７を駆動する駆動モータ２２６と、複数のキャスタ２２４とを備え、各キャスタ２２４が上部回転体２１０を支持することは言うまでもない。
【００４１】
上記上部回転体２１０の自転を規制するための規制手段２２９を設けることもできる。当該規制手段２２９は、駆動モータ２２６が配置された下部基板２２１と、上部回転体２１０とを連結する弾性体（ゴムやバネ等が好適に用いられる）である。規制手段２２９は、上部回転体２１０の自転を規制するように構成できれば、その配置方法は任意である。本実施例では、図８（Ｃ）に示すように、上記下部基板２２１に配置された駆動モータ２２６近傍から、上部回転体２１０の下面に上記規制手段２２９を配置する構成を採用する。上記下部基板２２１から、垂直方向に上記規制手段２２９を配置する構成を採用してもよく、斜めに配置しても構わない。上記規制手段２２９により、上部回転体２１０が自転を規制されるので、当該上部回転体２１０は、揺動しながら上記駆動モータ２２６の回転軸を中心として回転することになる。
【００４２】
（実施の形態３）
実施の形態２では、クランク２２８の一方端（他端は駆動モータ２２６の回転軸に取り付けられる）に上部回転体２１０を水平に取り付ける構成を採用した。これに対して、クランク２２８の上記一方端に、上部回転体２１０を傾斜させた状態で取り付ける構成を採用することができる。上部回転体２１０を傾斜して取り付ける構成以外については、上記実施の形態１及び２と同じであるので、説明及び図示を省略する。
【００４３】
図９（Ａ）に示すように、上部回転体２１０を水平に載置可能な支持体４００を形成する。支持体４００の上部又は、側面で上部回転体２１０を水平に支持可能であればその形状は任意であり、例えば、円柱、四角柱、三角柱等の支持体４００が形成可能である。本実施例では、円柱状の支持体４００を形成し、円柱の上面に所定の遊具基体４２０を載置し、当該遊具基体４２０上に遊具部材１２０を配置する構成を採用した。
【００４４】
上記支持体４００の上部回転体２１０を載置する部分が、水平面に対して傾斜した状態で、当該支持体４００を駆動モータ２２６の回転軸に固定することができる。本実施例では、支持体４００を傾斜状態で回転軸に固定するための一対の固定具４１０を上記支持体４００の側面に取り付けて、上記遊具基体４２０を当該支持体４００に固定した。支持体４００の他端は、所定の部材を介して上記回転軸に固定した。なお、上記支持体４００が上記回転軸に固定される代わりに、上記上部回転体２１０のいずれか所望の位置に取り付けられる構成を採用しても構わない。
【００４５】
上記支持体４００が所定の遊具基体４２０を載置し、当該遊具基体４２０上に遊具部材１２０を配置する構成を採用することで、遊具部材１２０を傾斜した状態で、上部回転体２１０上に配置することが可能となる。なお、駆動モータ２２６の回転軸は実施の形態１で使用した回転軸を使用してもよいし、実施の形態２で使用したクランク２２８を使用しても構わない。
【００４６】
図１０には、上部回転体２１０に傾斜板５００を設けて、遊具部材１２０を傾斜した状態で当該上部回転体２１０上に配置する構成を示した。この場合も、駆動モータ２２６の回転軸は実施の形態１で使用した回転軸を使用してもよいし（図１０（Ａ）参照）、実施の形態２で使用したクランク２２８を使用しても構わない（図１０（Ｂ）参照）。
【００４７】
（その他）
上記回転基体２００（以下、クランク２２８を設けた場合及び設けない場合を含めて説明する。）に備えた駆動モータ２２６の過負荷を保護する過負荷保護手段（例えば、トルクリミッタ）を上記駆動モータ２２６の回転軸又は、上記クランク２２８に取り付けてもよい。上述のように、駆動モータ２２６の上方には、ヨット等を模した遊具部材１２０（弾性遊具）が配置されるため、遊戯を望むユーザの体重分の荷重が当該駆動モータ２２６にかかることになる。所定以上の荷重が駆動モータ２２６にかかると、上記過負荷保護手段が、当該荷重を検知し、駆動モータ２２６を空回りさせる構成が採用できる。
【００４８】
すなわち、例えば、駆動モータ２２６の出力軸（回転軸）と中央歯車２２７との間には過剰なトルクから駆動モータ２２６を保護するトルクリミッタと、回転トルクを検出するトルクセンサとが設けられる。なお、トルクセンサとしては、接触式のトルクセンサを用いてもよく、あるいはまた非接触式のトルクセンサを用いるようにしてもよい。上記トルクセンサによって検出されるトルクが予想範囲を超えた場合には、トルクリミッタにより、駆動モータ２２６からの回転動力が中央歯車２２７に伝達されないようになっている。
【００４９】
更に、遊具装置１００にスリップリング（図示しない）を設け、このスリップリングによって遊具装置１００の電飾部材（例えば、装置外面に設けられるＬＥＤリボン）に電力を供給するようにしてもよい。電力供給手段としてスリップリングを使用することで、遊具装置が回転しても、配線のねじれ等がなく、給電が可能となる。
【産業上の利用可能性】
【００５０】
本発明は、内部に空気を充填することで弾力を保持する弾性遊具と、当該弾性遊具が配置される基体装置とを備えた遊具装置を前提とする。そして、本発明の遊具装置の弾性遊具は、弾性シートで形成され、内部に空気が気密に充填可能な複数の弾性ユニット同士が連結して構成された遊具であり、空気流路が連通可能な連通孔が弾性ユニットに形成される。そして、当該連通孔を介して各弾性ユニット同士が連結される。更に、弾性ユニットに空気を送入するための弁体を設けたことを特徴とする。従って、上記弾性ユニットの連結により、複雑な形状の遊具を構成できるので、本発明の遊具装置で遊具を構成すると、ブロア等の空気送入手段を常に動作させる必要がない。よって、複雑な形状の遊具装置を構成する際に、ブロア等の空気送入手段を不要とすることが可能となるので、その産業上の利用可能性は大きい。
【符号の説明】
【００５１】
１００  遊具装置
１１０  弾性ユニット
１１２  空気送入口（弁体）
１１４  連通孔
１２０  遊具部材
１３０  座部用弾性ユニット
１５０  装飾体
１５５  支持体
１６０  制御部格納装置
１６６  モニタ
１６７  カメラ
２００  回転基体（基体装置）
２１０  上部回転体
２２０  下部回転体
２２４  キャスタ
２２６  駆動モータ
２２７  中央歯車
２２８  クランク
【図１】
0005610619.tif 000002
【図２】
0005610619.tif 000003
【図３】
0005610619.tif 000004
【図４】
0005610619.tif 000005
【図５】
0005610619.tif 000006
【図６】
0005610619.tif 000007
【図７】
0005610619.tif 000008
【図８】
0005610619.tif 000009
【図９】
0005610619.tif 000010
【図１０】
0005610619.tif 000011